(57)【要約】【課題】  喫煙室で喫煙する人の吐き出す煙を喫煙室内の広い範囲で吸込口から吸い込んで浄化し、更に喫煙室で上向きに吐き出される煙、下向きに吐き出される煙等の全方向に吐き出される煙を吸い込んで浄化することができる分煙装置を提供する。【解決手段】  煙を含む空気を吸引するための吸引口１を有する煙吸引部材２と、吸引された空気から煙を除去する空気浄化部材３と、空気循環用の駆動用部材５と、浄化された空気を吐出するための吐出口１０を有する空気吐出部材９を設け、煙吸引部材２と空気吐出部材９は別体で適宜に離間配置され、吐出口１０から吐出される空気は室内を経て吸引口１に流れる空気流を形成するものである。【選択図】  図１
2005164127.tif 000002
【特許請求の範囲】
【請求項１】
煙を含む空気を吸引するための吸引口を有する煙吸引部材と、吸引された空気から煙を除去する空気浄化部材と空気循環用の駆動用部材と、浄化された空気を吐出するための吐出口を有する空気吐出部材を設け、煙吸引部材と空気吐出部材は別体で離間配置され、吐出口から吐出される空気は室内を経て吸引口に流れる空気流を形成することを特徴とする分煙装置。
【請求項２】
前記空気浄化部材は、除塵フィルターを有する請求項１に記載の分煙装置。
【請求項３】
前記空気浄化部材は、吸着フィルターを有する請求項１に記載の分煙装置。
【請求項４】
前記煙吸引部材と前記空気浄化部材と前記駆動用部材とは一体化した構造とされ、前記駆動用部材と前記吐出部材とが消音用フレキシブルダクトで連通されている請求項１に記載の分煙装置。
【請求項５】
前記空気浄化部材と前記駆動用部材とは、消音用フレキシブルダクトで連通されている請求項１、２又は３に記載の分煙装置。
【請求項６】
前記駆動用部材と前記空気吐出部材とは、消音用フレキシブルダクトで連通されている請求項１、２、３又は５に記載の分煙装置。
【請求項７】
前記駆動用部材と前記空気吐出部材との間に消音ボックスが配置されている請求項１、２、３、又は５に記載の分煙装置。
【請求項８】
前記吸引口は室内における天井に１箇所設けられ、前記吐出口は室内における天井に１箇所設けられている請求項１乃至７のいずれかに記載の分煙装置。
【請求項９】
前記吸引口は室内における天井に１箇所設けられ、前記吐出口は室内における天井の前記吸引口の周囲に２箇所以上設けられている請求項１乃至７のいずれかに記載の分煙装置。
【請求項１０】
前記吸引口は室内における天井に２箇所以上設けられ、前記吐出口は室内における天井に２箇所以上設けられている請求項１乃至７のいずれかに記載の分煙装置。
【請求項１１】
前記吸引口は室内における側壁面に１箇所以上設けられ、前記吐出口は室内における天井に１箇所以上設けられている請求項１乃至７のいずれかに記載の分煙装置。
【請求項１２】
前記吸引口は室内における床側に１箇所以上設けられ、前記吐出口は室内における側壁面に１箇所以上設けられている請求項１乃至７のいずれかに記載の分煙装置。
【請求項１３】
前記吸引口は室内における床側に１箇所以上設けられ、前記吐出口は室内における天井に１箇所以上設けられている請求項１乃至７のいずれかに記載の分煙装置。
【発明の詳細な説明】
【技術分野】
【０００１】
本発明は、室内で喫煙する際に、煙草の煙を含む空気を室内で形成される空気流で吸込口から吸引して、この空気中の煙を浄化するようにした分煙装置に関するものである。
【背景技術】
【０００２】
従来の分煙装置として、例えば図９に示すテーブル型分煙装置と図９に示す天井設置型分煙装置がある。図９に示すテーブル型分煙装置１０１は、テーブル１０２の上に吸込口１０２ａを有し、側面に吐出口１０２ｂを有した、吸込口１０２ａと吐出口１０２ｂを本体に一体に組み込んだ装置である。従って、吐出口１０２ｂから吐出される空気は矢印のように小循環を画いて吸込口１０２ａに吸込される性質を有している。更に具体的には床の上に据置されたテーブル１０２の上面側に吸込口１０２ａが形成され、この吸込口１０２ａに向けて煙草の煙が吸い込まれるように構成されている。図８に示すように、テーブル１０２の上面側の吸込口１０２ａに向けて吐き出す煙は小循環にのって吸込口１０２ａに吸い込まれて浄化されるが、小循環流からはずれた方向に、例えば上方向に向けて吐き出された煙は吸込口１０２ａに吸い込まれず室内に充満してしまうという問題があった。
【０００３】
また、図１０に示す天井設置型の分煙装置１０３も、吸込口１０４ａと吐出口１０４ｂを本体に一体に組み込んだ構造を有し、吐出口１０４ｂから吸込口１０４ａに至る循環は矢印の如く小循環になる。即ち、この分煙装置１０３の吸込口１０４ａから真下の近い距離で上向きに吐き出された煙は、吸込口１０４ａに吸い込まれて浄化される。しかしながら、下向きに吐き出された煙や離れた場所で吐き出された煙は、前記の小循環流に乗ることができず、吸込口１０４ａには吸い込まれず室内に充満してしまうという問題があった。
【０００４】
特開２００３−８３５７３により開示される従来技術を図１１に示す。この従来技術は、天上Ｃ等の高所にファン２０３を内蔵したファンユニット２０１が配置されている。ファンユニット２０１の下方であってテーブルＡの上方となる位置にダクト２０５を介して接続され、煙Ｓを含む排気Ｗ１を吸い込む吸込ユニット２０２を備えている。更に、吸込ユニット２０２における空気吸込口２０８とファンユニット２０１における空気吹出口２０９との間の箇所に、排気Ｗ１中に含まれる煙Ｓ等を除去するフィルター２０４を介設している。
【０００５】
上記のように構成したことにより、テーブルＡの近傍にて喫煙すると、その煙Ｓ等を含む排気Ｗ１は、テーブルＡの上方に位置された吸込ユニット２０２の空気吸込口２０８から吸い込まれる。そして、ダクト２０５を介して天上Ｃ等の高所に設置をされたファンユニット２０１に送られる過程でフィルター２０４により煙Ｓ等が除去されて、ファンユニット２０１の空気吹出口２０９から吐き出されることとなる。従って、専用テーブルを必要とせず、低コストとなるとともに、テーブルＡの周囲で数人が喫煙したとしても、浄化機能を奏することができる。
【０００６】
【特許文献１】特開２００３−０８３５７３号公報
【発明の開示】
【発明が解決しようとする課題】
【０００７】
ところが、上記した従来の分煙装置も空気の吸込口２０８と空気吹出口２０９が本体に一体に組み込まれており、空気吹出口２０９から空気吸込口２０８への循環流（空気流）が小さく形成される特徴を有している。更に具体的に述べると、空気吸込口２０８がテーブルＡの上側の近距離に位置され、空気吹出口２０９もテーブルＡの上側に位置されている。このために、テーブルＡの置かれた場所でテーブルＡの上面と分煙装置との間だけで空気吹出口２０９から吐き出された空気が空気吸込口２０８で吸い込まれる間の範囲の狭い空気流となる。したがって、テーブルＡの近くで椅子Ｄに座った状態で喫煙する人Ｍから吐き出される煙Ｓはこの空気流内で吸込口２０８に吸い込まれて浄化される。しかしながら、この狭い範囲の空気流から離れた箇所で喫煙する人Ｍ、例えば、椅子Ｄから立ち上がった人Ｍが喫煙する場合、この人Ｍから吐き出される煙ＳやテーブルＡから離れた箇所で喫煙する人Ｍから吐き出される煙Ｓは空気流内から外れて室内に充満してしまうという問題があった。
【０００８】
本発明は、上記した従来の問題に鑑みてなされたものであって、喫煙室で喫煙する人の吐き出す煙を喫煙室内の広い範囲で吸込口から吸い込んで浄化することを目的とし、更に、喫煙室で上向きに吐き出される煙、下向きに吐き出される煙等の全方向に吐き出される煙を吸い込んで浄化することができる分煙装置を提供することを目的とするものである。
【課題を解決するための手段】
【０００９】
本発明は、上記課題を解決するためになされたものであって、本発明の第１の形態は、煙を含む空気を吸引するための吸引口を有する煙吸引部材と、吸引された空気から煙を除去する空気浄化部材と空気循環用の駆動用部材と、浄化された空気を吐出するための吐出口を有する空気吐出部材を設け、煙吸引部材と空気吐出部材は別体で離間配置され、吐出口から吐出される空気は室内を経て吸引口に流れる空気流を形成する分煙装置である。
【００１０】
本発明の第２の形態は、前記空気浄化部材が、除塵フィルターを有する分煙装置である。
【００１１】
本発明の第３の形態は、前記空気浄化部材が、吸着フィルターを有する分煙装置である。
【００１２】
本発明の第４の形態は、前記煙吸引部材と前記空気浄化部材と前記駆動用部材とは一体化した構造とされ、前記駆動用部材と前記吐出部材とが消音用フレキシブルダクトで連通されている分煙装置である。
【００１３】
本発明の第５の形態は、前記空気浄化部材と前記駆動用部材とが、消音用フレキシブルダクトで連通されている分煙装置である。
【００１４】
本発明の第６の形態は、前記駆動用部材と前記空気吐出部材とが、消音用フレキシブルダクトで連通されている分煙装置である。
【００１５】
本発明の第７の形態は、前記駆動用部材と前記空気吐出部材との間に消音ボックスが配置されている分煙装置である。
【００１６】
本発明の第８の形態は、前記吸引口が室内における天井に１箇所設けられ、前記吐出口は室内における天井に１箇所設けられている分煙装置である。
【００１７】
本発明の第９の形態は、前記吸引口が室内における天井に１箇所設けられ、前記吐出口が室内における天井の前記吸引口の周囲に２箇所以上設けられている分煙装置である。
【００１８】
本発明の第１０の形態は、前記吸引口が室内における天井に２箇所以上設けられ、前記吐出口が室内における天井に２箇所以上設けられている分煙装置である。
【００１９】
本発明の第１１の形態は、前記吸引口が室内における側壁面に１箇所以上設けられ、前記吐出口が室内における天井に１箇所以上設けられいる分煙装置である。
【００２０】
本発明の第１２の形態は、前記吸引口が室内における床側に１箇所以上設けられ、前記吐出口が室内における側壁面に１箇所以上設けられている分煙装置である。
【００２１】
本発明の第１３の形態は、前記吸引口が室内における床側に１箇所以上設けられ、前記吐出口が室内における天井に１箇所以上設けられている分煙装置である。
【発明の効果】
【００２２】
本発明の第１の形態によれば、煙吸込部材と空気吐出部材が別体で構成されるから、両部材を喫煙室内において自在な間隔で離間配置できる。両部材の間隔を広く設定すると、空気吐出部材の吐出口から吐き出される空気流は吸込口に吸い込まれるまで室内の広い範囲の空気流となる。このために、この室内で喫煙するときには、室内におけるどこの場所でも喫煙しても吐き出される煙がこの広い範囲の空気流に乗って煙吸引部材の吸込口に吸い込まれることができ、強力な空気浄化部材で浄化することができる。
【００２３】
そして、この浄化された空気は空気循環用の駆動用部材によって再び空気吐出部材の吐出口から室内に吐き出され、再び広い範囲の空気流となって煙吸引部材の吸込口で吸い込まれる。従って、喫煙室内に多くの喫煙者がいても、駆動用部材が駆動されているときには、室内の各所で喫煙者によって吐き出される煙が前述した広い範囲の空気流に乗って吸引され、喫煙室内の空気を常に浄化して、喫煙室の空気を常時清浄に保持すことができる。
【００２４】
本発明の第２の形態によれば、空気浄化部材に備えられた除塵フィルターによって、吸込口から吸い込まれた煙を含む空気中の塵や埃等が取り除かれるから、空気の浄化作用を高めることができる。
【００２５】
本発明の第３の形態によれば、空気浄化部材に備えられた吸着フィルターによって、吸込口から吸い込まれた煙を含む空気の臭気を吸着できるから、煙だけでなく臭気等の成分も除去できる。その結果、空気の浄化作用をより一層高めることができる。尚、この吸着フィルターとしては、活性炭やゼオライト、合成吸着剤等の公知の全ての吸着部フィルターが使用できる。
【００２６】
本発明の第４の形態によれば、煙吸引部材と空気浄化部材と駆動用部材とが一体化されているので、構造を簡単化することができる。駆動用部材と空気吐出部材とが消音用フレキシブルダクトで連通されている。このために、フレキシブルダクトは屈曲、湾曲自在な部材であるために、駆動用部材と空気吐出部材とが繋ぎ難い場所に配置されていてもこの間を容易に連通して接続することができる。
【００２７】
本発明の第５の形態によれば、空気浄化部材と駆動用部材とが消音用フレキシブルダクトで連通されているので、ファン等の駆動用部材による騒音を消音することができる。また、フレキシブルダクトを用いているので、このフレキシブルダクトは屈曲、湾曲自在な部材であるために、空気浄化部材と駆動用部材の位置が繋ぎ難い場所に配置されていてもこの間を容易に連通して接続することができる。
【００２８】
本発明の第５の形態によれば、駆動用部材と空気吐出部材とが消音用フレキシブルダクトで連通されているので、ファン等の駆動用部材の駆動による騒音を消音することができる。また、フレキシブルダクトを用いているので、このフレキシブルダクトは屈曲、湾曲自在な部材であるために、駆動用部材と空気吐出部材の位置が繋ぎ難い場所に配置されていてもこの間を容易に連通して接続することができる。
【００２９】
本発明の第６の形態によれば、駆動用部材と空気吐出部材との間に消音ボックスが配置されているので、ファン等の駆動用部材の駆動による騒音がこの消音ボックス内で消音され、空気吐出口から吐き出される空気を騒音の無いものとすることができる。例えば、消音ボックスとしては、ボックス内の壁面全体に渡りスポンジ等の消音部材を貼ったものが利用できる。
【００３０】
本発明の第７の形態によれば、駆動用部材が駆動されると、天井に設けられた吐出口から室内に向けて下向きに空気が吐出され、離れた位置にある天井に設けられた吸引口にこの空気が吸い込まれ、室内全体に空気流が形成される。従って、室内全体に喫煙者が存在しても、喫煙者が吐き出した煙はこの空気流に乗って吸引口に吸い込まれ、室内全体の煙を余すことなく吸引することができる。空気浄化部材で空気中の煙が除去され、清浄化された空気が再び吐出口から吐き出されるから、室内のほぼ全域に亘り喫煙者から吐き出される煙を含む空気を浄化することができる。
【００３１】
本発明の第８の形態によれば、室内において天井の吸引口の周囲に吐出口を２箇所以上設けているので、吐出口から吸引口に流れる２以上の空気流が室内に形成され、室内のほぼ全域に空気流が形成される。従って、室内のいかなる場所で吐き出される喫煙者の煙であっても、その煙を空気流に誘い込み、空気流に煙を乗せて吸引口に強制吸引し、空気浄化部材によってこの空気中の煙を除去することができる。
【００３２】
本発明の第９の形態によれば、天井に設けられた２箇所以上の吐出口から天井に設けられた２箇所以上の吸引口に向けて室内の広い範囲で空気流が発生する。例えば、鉄道の待合室のような広大な室内においては、本発明のように多くの空気流を全域に形成する。このために、室内のあらゆる箇所での喫煙者が吐く煙を、空気流と共に吸引口に吸引することができ、空気浄化部材でこの空気中の煙を除去することができる。天井の吐出口から下方に吐き出される空気は中間高さや床面に沿って流れ、最終的に吸引口へと上昇吸引されるから、室内の空気流は室内全域に形成される。吐出口と吸引口の両者を天井に配置すると、空気流（循環流）を特に大きく形成できる効果がある。
【００３３】
本発明の第１０の形態によれば、吸引口が室内における側壁面に設けられているので、天井の吐出口から下方に吐出される空気流が水平方向に流れるから、この水平空気流に吸引されて喫煙者の吐く煙を側壁面の吸引口から吸引できる。四方の側壁面に吸引口を設ければ、複数の空気流が四方へ流れ、室内のほぼ全域をカバーできる。又、待合室等の大きな室には２以上の吐出口を設け、多数の空気流により室内の隅々に空気流を形成できる。従って、空気浄化部材でこの空気中の煙を空気浄化部材で効率良く除去することができる。
【００３４】
本発明の第１１の形態によれば、室内の側壁面の吐出口から床側に設けられた吸引口に向けて室内における比較的低い位置での空気流が発生するので、比較的に低い位置での喫煙者による煙を含む空気を身近にある床側の吸引口から吸引することができる。したがって、座った状態で喫煙している喫煙者の吐く煙を含む空気も空気流に乗せて吸引口に吸引でき、空気浄化部材でこの空気中の煙を除去することができる。
【００３５】
本発明の第１２の形態によれば、天井の吐出口から床側の吸引口に向けて空気流が発生するので、立ったままで喫煙している喫煙者の煙と座った状態で喫煙している喫煙者の煙を含む空気が床側の吸引口に向けて吸引される。２以上の吐出口と２以上の吸引口を設ければ、前記空気流を室内に複数形成でき、室内の全域に下向き空気流を形成でき、広い空間でも煙を確実に浄化できる。従って、喫煙者がどのような状態でいるかに係わらずに、この喫煙者の吐く煙を含む空気を空気浄化部材で確実に浄化することができる。
【発明を実施するための最良の形態】
【００３６】
以下、本発明に係る分煙装置の実施形態を、添付する図１〜図７に基づいて詳細に説明する。
図１は、本発明に係る分煙装置の第１実施形態の喫煙時の状態を示す模式図である。図１に示すように、第１実施形態の分煙装置は、室内Ｓの天井Ｔの１箇所に吸引口１が設けられ、その上側にこの吸引口１を有する煙吸引部材２が配置されている。この煙吸引部材２は、筐体状に形成されており、吸引口１から室内における煙を含む空気が吸引されるように構成されている。
【００３７】
この筐体状の煙吸引部材２の上部には、吸引された空気から煙を除去するための空気浄化部材３（図２参照）が設けられている。この空気浄化部材３の上端には消音用フレキシブルダクト４の一端が接続され、この消音用フレキシブルダクト４は天井Ｔの裏側に配設されている。この消音用フレキシブルダクト４の他端が空気循環用の駆動用部材５に接続されている。駆動用部材５としては、例えば、ファン、コンプレッサ、空気ポンプ、タービン等があるが、下記では最も簡易な駆動用部材５としてファンを用いる、このとき、ファン５と表記する。
【００３８】
このファン５の下側には、配管６を介して消音ボックス７が連通状態で配置されている。この消音ボックス７には消音用フレキシブルダクト８の一端が接続され、この消音用フレキシブルダクト８の他端が、煙吸引部材２とは離間配置された空気吐出部材９に接続されている。この空気吐出部材９には、天井Ｔから室内Ｓに臨むように室内Ｓに向けて開口した吐出口１０が設けられている。
【００３９】
上記した構成により、図１に示すように、駆動用ファン５の駆動により、室内Ｓでは、吐出口１０から吐き出された空気が、矢印のように、天井Ｔから室内Ｓの床側に向けて流れ、更に天井Ｔに臨む吸引口１に向けて上昇吸引されて流れる。この下降流、水平流、上昇流からなる空気流が室内Ｓの全体に形成されることとなる。
【００４０】
この空気流が形成された室内Ｓで喫煙者Ｈが吐く煙草の煙は、空気流に乗って吸引口１に向けて天井側に流れ、吸引口１から煙吸引部材２内に入り込む。煙吸引部材２内に吸引された煙を含む空気は、煙吸引部材２の上側に設けられた空気浄化部材３（図２参照）で煙を除去して浄化され、浄化空気が消音用フレキシブルダクト４を通ってファン５に向けて移動する。
【００４１】
更に、このファン５から配管６を経て消音ボックス７に入り、この消音用ボックス７でファン５の駆動による騒音が消される。このようにして騒音が消された空気は消音ボックスから消音用フレキシブルダクト８を通って空気吐出部材９に至り、吐出口１０から浄化された空気が再び室内Ｓに向けて吐出されることとなる。
【００４２】
このようにして、ファン５が駆動されているときには、常時、天井Ｔから床側に向けて、そして床側から天井Ｔに向けて室内Ｓ内に空気流が形成されて、喫煙者が吐く煙草の煙が吸引口１から吸引されて浄化されることとなる。
【００４３】
図２は図１に示す分煙装置の構造を示す底面図である。図２に示すように、煙吸引部材２の上側の空気浄化部材３には、筐体内に分煙フィルター３ａと除塵フィルター３ｂと吸着フィルター３ｃが組み込まれている。分煙フィルター３ａは、空気浄化部材３の本体で、煙汚染空気を浄化する装置である。分煙フィルター３ａの一例として電界フィルターがある。この構造は図示しないが、相対向して配置されたプラス、マイナスの電極板の間に煙吸着部材が配置されていて、イオン化された煙の粒子が電極板に向けて移動されて、煙吸着部材に吸着されるようになっている。
【００４４】
除塵フィルター３ｂでは、空気中の塵や埃が取り除かれる。吸着フィルター３ｃとしては、活性炭やゼオライト、合成吸着剤等が含まれたものがある。この吸着フィルター３ｃでは空気中の臭気が取り除かれる。
【００４５】
図３は第２実施形態の分煙装置の喫煙時の状態を示す模式図である。
図３に示すように、この第２実施形態の分煙装置は、吸引口１を有する煙吸引部材２が室内のほぼ中央位置において天井Ｔに配置されている。更に、この煙吸引部材２から左右に離間された天井Ｔの２箇所に吐出口１０を有する空気吐出部材９が配置されている。
【００４６】
上記した構成により、室内には、天井Ｔの左右両側の吐出口１０から床側に向けて空気が吐出され、この空気は、室内のほぼ中央位置の天井Ｔの吸引口１に向けて流通し、左右両側に空気流が形成される。これにより、室内Ｓで左右両側で煙草を吸っている複数の喫煙者Ｈの煙草の煙はこの空気流に乗って室内のほぼ中央位置の天井Ｔの吸引口１に空気とともに吸引される。
【００４７】
この煙を含む空気が煙吸引部材２から空気浄化部材３に流れると、この空気清浄部材３で煙等が除去されて、消音用フレキシブルダクト４を通り、ファン５に駆動されて配管６から消音ボックス７内に入る。この消音ボックス７内でファン５の駆動による騒音が消される。更に、騒音を消された空気は消音ボックス７から消音用フレキシブルダクト８を通って左右位置の空気吐出部材９、９に流れ、左右両側の吐出口１０、１０から室内に吐出される。
【００４８】
このように、室内Ｓには左右一対の空気流が発生しているので、室内Ｓの広い範囲で喫煙者Ｈの吐く煙草の煙を空気流に乗せ、左右の吸引口１、１で吸引して浄化し、空気中から煙を除去することができる。空気吐出部９をｎ個設ければ、前記空気流はｎ個形成され、室の大小に応じて個数調整する。
【００４９】
図４は第３実施形態の分煙装置の喫煙時の状態を示す模式図である。図４に示すように、第３実施形態の分煙装置は、吸引口１を有する煙吸引部材２が、室内Ｓの天井Ｔのほぼ中央箇所から左右に離れて２箇所設置して構成されている。そして、吐出口１０を有する空気吐出部材９が各煙吸引部材２に対して離間して天井Ｔの左右位置に２箇設置されている。すなわち、空気吐出部材９と煙吸引部材２からなる装置が左右に２組設置されている。
【００５０】
従って、室内には左側の吐出口１０から床側に向けて吐出された空気が左側の吸引口１に吸い込まれる左側の空気流と、右側の吐出口１０から床側に向けて吐出された空気が右側の吸引口１に吸い込まれる右側の空気流とが発生する。そこで、室内Ｓの左位置で喫煙している複数の喫煙者Ｈの煙草の煙が左側の空気流に乗って左側の吸引口１に吸い込まれ、同様に右位置で喫煙している複数の喫煙者Ｈの煙草の煙が右側の空気流に乗って右側の吸引口１に吸い込まれる。
【００５１】
左側の装置の動作は右側の装置の動作と全く同一であるから、重複記載を避けるため、以下では右側装置の動作について説明する。吸引口１から吸い込まれた煙を含む空気は、吸引口１を有する煙吸引部材２から空気浄化部材３に入って空気中の煙等が除去されて浄化される。更に、消音用フレキシブルダクト４を通ってファン５に吸引された後に、配管６を経て消音ボックス７内に入り、ここでファン５の騒音が消される。その後に、消音用フレキシブルダクト８を通って、空気吐部材９の吐出口１０から室内に向けて浄化された空気が吐出される。
【００５２】
この第３実施形態によれば、吐出口１０と吸引口１とが、室内Ｓの天井Ｔの左右２箇所に設けられているので、室内Ｓに２つの空気流を形成することができる。従って、喫煙者Ｈが室内Ｓのどの位置に居ても、これらの空気流に煙を吸い込んで浄化することができる。
【００５３】
図５は第４実施形態の分煙装置の喫煙時の状態を示す模式図である。図５に示すように、この第４実施形態の分煙装置は、室内Ｓの左隅部の天井Ｔに吐出口１０を有する空気吐出部材９が配置され、この室内において反対側である右側の側壁面Ｇに吸引口１を有する煙吸引部材２が配置されている。更に、この煙吸引部材２の側壁内に配置された空気浄化部材３から天井Ｔの裏側に配置されたファン５まで消音用フレキシブルダクト４が配設されている。
【００５４】
このファン５から配管６で消音ボックス７に連通され、この消音ボックス７から消音用フレキシブルダクト８が天井Ｔの左側の吐出口１０を有する空気吐出部材９まで配設されている。
【００５５】
上記した構成により、この第４実施形態では、天井Ｔの左側の吐出口１０から床側に向けて空気が吐出され、右側の側壁面Ｇの吸引口１に至る空気流が形成される。
【００５６】
したがって、室内Ｓに居る喫煙者Ｈの煙草の煙は、この空気流に乗って右側の側壁面Ｇの吸引口１に吸引され、煙吸引部材２を経て空気浄化部材３で空気中の煙等が除去されて浄化される。浄化された空気は、消音用フレキシブルダクト４を通ってファン５に吸引され、このファン５から配管６を経て消音ボックス７内に入る。そして、この消音ボックス７内でファン５からの騒音が消された状態で消音用フレキシブルダクト８を通って空気吐出部材９の吐出口１０から室内に吐出される。
【００５７】
この第４実施形態によれば、吸引口１が側壁面Ｇにおける喫煙者Ｈの背の高さに近い箇所に位置するので、喫煙者Ｈの煙が吸引口１に吸引されやすくて、この煙を含む空気を確実に浄化することができる。
【００５８】
図６は第５実施形態の分煙装置の喫煙時の状態を示す模式図である。図６に示すように、この第５実施形態の分煙装置は、室内Ｓの床Ｙの上面に適宜高さの筐体状の台部１１を配置し、この台部１１の上端面に吸引口１を設けている。そして、台部１１の位置で床Ｙの上下面に煙吸引部材２と空気浄化部材３を配置している。更に、側壁面Ｇの適宜高さ位置にファン５を配置し、このファン５と空気浄化部材３とを消音用フレキシブルダクト４で連通している。
【００５９】
ファン５は配管６で消音ボックス７に連通され、この消音ボックス７は側壁面Ｇにおける天井Ｔの近傍に配置された吐出口１０を有する空気吐出部材９に消音用フレキシブルダクト８で連通されている。吐出口１０は側壁面Ｇから室内に向けて露出されている。
【００６０】
上記した構成により、室内には、側壁面Ｇにおける天井近傍の吐出口１０から室内Ｓに向けて空気が吐出され、床Ｙにある台部１１の上端の吸引口１に至る空気流が形成されることとなる。
【００６１】
したがって、台部１１の近くに居る喫煙者Ｈの煙草の煙は、台部１１の上面の吸引口１に空気とともに吸引され、煙吸引部材２から空気浄化部材３内に入って、空気中の煙等が除去されて浄化される。
【００６２】
この第５実施形態によれば、喫煙者Ｈの高さ位置とほぼ同じ高さ位置に吸引口１が位置するので、喫煙者Ｈの煙草の煙を確実に吸引して煙を浄化することができる。
【００６３】
図７は第６実施形態の分煙装置の喫煙時の状態を示す模式図である。図７に示すように、この第６実施形態の分煙装置は、床Ｙの上面に適宜高さの筐体状の台部１１を配置し、この台部１１の上端面に吸引口１を設けている。そして、台部１１の床Ｙの下面側に煙吸引部材２と空気浄化部材３を配置している。更に、側壁面Ｇの適宜高さ位置にファン５を配置し、このファン５と空気浄化部材３とを消音用フレキシブルダクト４で連通している。
【００６４】
ファン５は配管６で消音ボックス７に連通され、この消音ボックス７は側壁面Ｇにおける天井Ｔに配置された吐出口１０を有する空気吐出部材９に消音用フレキシブルダクト８で連通されている。
【００６５】
上記した構成により、室内には、天井Ｔの吐出口１０から室内Ｓに向けて空気が吐出され、床Ｙ上にある台部１１の上端の吸引口１に至る空気流が形成されることとなる。したがって、台部１１の近くに居る喫煙者Ｈの煙草の煙は、台部１１の上面の吸引口１に空気とともに吸引され、煙吸引部材２から空気浄化部材３内に入って、空気中の煙等が除去されて浄化される。
【００６６】
この第６実施形態によれば、天井Ｔから床面に向けてストレートに空気流が形成されるので、喫煙者Ｈの煙草の煙をストレートに吸引口１に吸引させることができ、喫煙者Ｈが吐出する煙草の煙を正確に吸引して浄化することができる。
【００６７】
図８は第７実施形態の分煙装置の喫煙時の状態を示す模式図である。
図７に示すように、天井Ｔに筐体１２が配置され、この筐体１２の下端に吸引口１を有する煙吸引部材２が配置され、この筐体１２の内部に除塵フィルター３ｂと分煙フィルター３ａとからなる空気浄化部材３が配置されている。更に、この筐体１２内部の上側にはファン５が配置されていて、筐体１２内に煙吸引部材２と空気浄化部材３とファン５とが一体化した構造となっている。また、ファン５と空気吐出部材９とが消音用フレキシブルダクト８で連通されている。尚、空気浄化部材３には、吸着フィルター３ｃを配置してもよい。また、ファン５側に消音ボックス７を設けて、消音用フレキシブルダクト８で空気吐出部材９に連通させるようにすることが好ましい。
【００６８】
この第７実施形態では、ファン５の駆動により、消音用フレキシブルダクト８を介して空気吐出部材９の吐出口１０から室内Ｓに空気が吐出される。室内Ｓでは、吐出口１０から吐き出された空気が、矢印のように、天井Ｔから室内Ｓの床側に向けて流れ、更に天井Ｔに臨む吸引口１に向けて上昇吸引されて流れる。この下降流、水平流、上昇流からなる空気流が室内Ｓの全体に形成されることとなる。
【００６９】
この空気流が形成された室内Ｓで喫煙者Ｈが吐く煙草の煙は、空気流に乗って吸引口１に向けて天井側に流れ、吸引口１から煙吸引部材２内に入り込む。煙吸引部材２内に吸引された煙を含む空気は、煙吸引部材２の上側に設けられた空気浄化部材３で煙を除去して浄化され、浄化空気がファン５に向けて移動する。更に、このファン５から消音用フレキシブルダクト８を通って空気吐出部材９に至り、吐出口１０から浄化された空気が再び室内Ｓに向けて吐出されることとなる。
【００７０】
この第７実施形態によれば、煙吸引部材２と空気浄化部材３とファン５とが一体化されているので、構造を簡単化することができる。尚、煙吸引部材２側にファン５を設けずに、空気吐出部材９側にこの空気吐出部材９と一体化してファン５を設けてもよいことは云うまでもない。
【００７１】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００７２】
本発明に係る分煙装置は、家庭用又は業務用に使用できる。例えば、家庭用としては、室内に設置して室内における喫煙者の煙草の煙を除去できて煙草の煙で室内が充満することを防ぐことができる。業務用としては、事務所の一室に喫煙室を設けたところでは、この喫煙室内の煙草の煙を除去することが可能である。また、工場等の作業場では、喫煙室として別個に設けられた場所で煙草の煙を除去しながら喫煙することが可能である。更に、バス等の車輛にも設置することができ、喫茶店等の飲食店の喫煙コーナーや、他の店舗等の喫煙コーナー等にも設置して喫煙による煙草の煙を除去することが可能である。
【図面の簡単な説明】
【００７３】
【図１】本発明に係る分煙装置の第１実施形態の喫煙時の状態を示す模式図である。
【図２】図１に示す分煙装置の構造を示す底面図である。
【図３】第２実施形態の分煙装置の喫煙時の状態を示す模式図である。
【図４】第３実施形態の分煙装置の喫煙時の状態を示す模式図である。
【図５】第４実施形態の分煙装置の喫煙時の状態を示す模式図である。
【図６】第５実施形態の分煙装置の喫煙時の状態を示す模式図である。
【図７】第６実施形態の分煙装置の喫煙時の状態を示す模式図である。
【図８】第７実施形態の分煙装置の喫煙時の状態を示す模式図である。
【図９】従来の第１例の分煙装置の喫煙時の状態を示す模式図である。
【図１０】従来の第２例の分煙装置の喫煙時の状態を示す模式図である。
【図１１】従来の第３例の分煙装置の喫煙時の状態を示す模式図である。
【符号の説明】
【００７４】
Ｓ      室内
Ｔ      天井
Ｈ      喫煙者
Ｙ      床
Ｇ      側壁面
１      吸引口
２      煙吸引部材
３      空気浄化部材
３ａ    分煙フィルター
３ｂ    除塵フィルター
３ｃ    吸着フィルター
４      消音用フレキシブルダクト
５      駆動用部材（駆動用ファン）
６      配管
７      消音ボックス
８      消音用フレキシブルダクト
９      空気吐出部材
１０    吐出口
１１    台部
１２    筐体
【図１】
2005164127.tif 000003
【図２】
2005164127.tif 000004
【図３】
2005164127.tif 000005
【図４】
2005164127.tif 000006
【図５】
2005164127.tif 000007
【図６】
2005164127.tif 000008
【図７】
2005164127.tif 000009
【図８】
2005164127.tif 000010
【図９】
2005164127.tif 000011
【図１０】
2005164127.tif 000012
【図１１】
2005164127.tif 000013